(57)【要約】      （修正有）【課題】集塵フィルター面に施すプリコート処理をユニット内部で行うことにより、プリコート剤で集塵室内が汚染されるのを防ぐフィルターユニットを提供する。【解決手段】正面壁と、この正面壁から立設された側壁を備え、背面側が開口した略箱型の第一及び第二のカバー部１４，１５を、該第二のカバー部の開口部を前記第一のカバー部の正面壁で塞ぐように接合して形成されたフィルターカバー１３と、前記第一のカバー部の開口縁部に接続して設けられた正背面側が開口した枠体１２と、該枠体の内壁に当接するように嵌め込まれた集塵フィルター１１とを備え、前記第一のカバー部は、正面壁の略中央部下方に、前記第一のカバー部の内側空間に設けられた処理室１４ａと、前記第二のカバー部の内側空間に設けられた通気室１５ａとを連通する連通口１４ｂを有し、前記第二のカバー部は、正面壁の上部に外部からヒューム含有空気が導入される吸気口１５ｂを有し、前記処理室の底部にはプリコート剤１６を配置する。【選択図】図１
0003148027.tif 000002
【実用新案登録請求の範囲】
【請求項１】
正面壁と、この正面壁から立設された側壁を備え、背面側が開口した略箱型の第一及び第二のカバー部を、該第二のカバー部の開口部を前記第一のカバー部の正面壁で塞ぐように接合して形成されたフィルターカバーと、
前記第一のカバー部の開口縁部に接続して設けられた正背面側が開口した枠体と、
該枠体の内壁に当接するように嵌め込まれた集塵フィルターと
を備えたヒューム捕集機用のフィルターユニットであって、
前記第一のカバー部は、正面壁の略中央部下方に、前記第一のカバー部の内側空間に設けられた処理室と、前記第二のカバー部の内側空間に設けられた通気室とを連通する連通口を有し、
前記第二のカバー部は、正面壁の上部に外部からヒューム含有空気が導入される吸気口を有し、
前記処理室の底部には、前記連通口を通過したヒューム含有空気の上方への作用力を受けて上方へ舞い上げられ、前記集塵フィルター面に付着してコート層を形成するプリコート剤が配置されたことを特徴とするヒューム捕集機用のフィルターユニット。
【請求項２】
第二のカバー部の正面壁の面積が、第一のカバー部の正面壁の面積よりも小さく形成されたことを特徴とする請求項１記載のフィルターユニット。
【請求項３】
第一のカバー部の正面壁が、下方に向うに連れて漸次背面側に傾斜して形成されたことを特徴とする請求項１又は２記載のフィルターユニット。
【請求項４】
フィルターカバーが透明に形成されたことを特徴とする請求項１乃至３いずれか記載のフィルターユニット。
【考案の詳細な説明】
【技術分野】
【０００１】
本考案は、例えば、レーザー加工時や溶接作業時に発生する埃、塵、煙、ガス、金属粉等のヒューム成分を捕集するため、ヒューム捕集機の集塵室に装着して使用されるフィルターユニットに関する。
【背景技術】
【０００２】
ヒューム捕集機のフィルター面に炭酸カルシウムやゼオライトに代表される吸着性、脱臭性等を備えたいわゆるプリコート剤をあらかじめ付着させてコート層を形成させ、吸引空気中に含まれるヒュームを前記コート層に吸着させて捕集することにより、フィルターの目詰まりを防止しつつヒュームの捕集を行うことは従来から行われており、例えば、捕集機の内部に配置したブロアーによる吸引作用を利用して外部からヒューム含有空気を吸引するとともに、コート層を形成させる技術が開示されている（特許文献１参照）。
【特許文献１】特開平１０−２９６０２６号公報
【考案の開示】
【考案が解決しようとする課題】
【０００３】
しかしながら、上記公報に記載されている構成、すなわち、フィルターとプリコート剤とをそれぞれ別個に集塵室内に配置した構成で行うプリコート処理は、プリコート剤を集塵室内に舞い上げてフィルター面に付着させるものであるため、フィルター面に付着されなかったプリコート剤で集塵室内が汚染されてしまい、これにより使用後のメンテナンスに手間とコストがかかるという問題があった。
【０００４】
本考案は上記問題点に鑑みてなされたものであり、その目的は、ヒューム捕集機のブロアーによる吸引作用を利用してプリコート剤をフィルター面に向けて舞い上がらせて、フィルター面にコート層を形成させる処理を、フィルターと箱型のカバーとを一体化してカセット式としたユニット内部で行うことにより、飛散したりこぼれたりしたプリコート剤で集塵室内が汚染されるのを防ぐフィルターユニットを提供することにある。
【課題を解決するための手段】
【０００５】
請求項１のフィルターユニットは、正面壁と、この正面壁から立設された側壁を備え、背面側が開口した略箱型の第一及び第二のカバー部を、該第二のカバー部の開口部を前記第一のカバー部の正面壁で塞ぐように接合して形成されたフィルターカバーと、前記第一のカバー部の開口縁部に接続して設けられた正背面側が開口した枠体と、該枠体の内壁に当接するように嵌め込まれた集塵フィルターとを備え、前記第一のカバー部は、正面壁の略中央部下方に、前記第一のカバー部の内側空間に設けられた処理室と、前記第二のカバー部の内側空間に設けられた通気室とを連通する連通口を有し、前記第二のカバー部は、正面壁の上部に外部からヒューム含有空気が導入される吸気口を有し、前記処理室の底部には、前記連通口を通過したヒューム含有空気の上方への作用力を受けて上方へ舞い上げられ、前記集塵フィルター面に付着してコート層を形成するプリコート剤が配置されたことを特徴とするものである。
【０００６】
請求項２のフィルターユニットは、第二のカバー部の正面壁の面積が、第一のカバー部の正面壁の面積よりも小さく形成されたことを特徴とするものである。
【０００７】
請求項３のフィルターユニットは、第一のカバー部の正面壁が、下方に向うに連れて漸次背面側に傾斜して形成されたことを特徴とするものである。
【０００８】
請求項４のフィルターユニットは、フィルターカバーが透明に形成されたことを特徴とするものである。
【考案の効果】
【０００９】
請求項１のフィルターユニットによれば、吸引空気中に含まれているヒュームをプリコート剤に吸着させて、集塵フィルターの目詰まりを予防するという効果を享受できるとともに、集塵フィルター面に向けて舞い上げられたプリコート剤は、集塵フィルター面に付着されなかったものも含めてフィルターカバー内部に留まるため、飛散したりこぼれたりしたプリコート剤でヒューム捕集機の集塵室内が汚染されてしまうのを防ぐことができる。
【００１０】
また、請求項１のフィルターユニットによれば、吸気口より吸入されたヒューム含有空気が連通口を通過して処理室に導かれる通路が蛇行して形成されているため、処理室内に舞い上げられたプリコート剤が逆流して吸気口からヒューム捕集機の集塵室内に漏れてしまうのを防ぐことができる。
【００１１】
請求項２のフィルターユニットによれば、ヒューム捕集機のブロアーの吸引作用を受けて吸気口よりフィルターユニット内部に吸入されたヒューム含有空気は、先ず幅狭で内容積の小さい通気室を通過するため、ブロアーの流量を同じ設定にした場合で比較すると、より強くヒューム含有空気を処理室に送り込むことができるので、プリコート剤をより激しく舞い上がらせることができ、これにより集塵フィルター面におけるコート層の形成を促進させることができる。
【００１２】
請求項３のフィルターユニットによれば、第一カバー部の正面壁が整流弁としての役割りを果たすため、吸気口から下方に設けられた連通口に向かって通気室内を通過するヒューム含有空気を、より効果的に処理室に送り込むことができる。
【００１３】
請求項４のフィルターユニットによれば、処理室内におけるプリコート剤の舞い上がり具合、集塵フィルター面におけるコート層の形成具合、集塵フィルターの目詰まり具合等を、フィルターカバーを取り外すことなく目視で観察することができる。
【考案を実施するための最良の形態】
【００１４】
本考案のフィルターユニットは、レーザー加工時や溶接作業時に発生する埃、塵、煙、ガス、金属粉等（以下、総称してヒュームという）を捕集するにあたりヒューム捕集機の集塵室に装着して効果的に用いられるものである。これらの中で捕集対象としてレーザー加工時に発生する煙を例示すれば、例えば、ゴム印、木材の表札、アクリル樹脂を用いた彫刻等、ペットボトルへの印字等、各種樹脂の彫刻・印字、ダンボールへの印字をする際に発生する煙が挙げられる。また、本考案のフィルターユニットの捕集対象には、上記ヒュームが発生した際に生じる臭気成分も含まれる。
【００１５】
以下、本考案の実施形態について図面を参照しながら詳述する。図１は、本考案に係るフィルターユニットを装着したヒューム捕集機の全体を示した内部構造の断面左側面図である。図２は、図１のヒューム捕集機の全体を示した内部構造の断面平面図である。図３は、図１のヒューム捕集機の全体を分解して示した内部構造の断面左側面図である。図４は、本考案に係るフィルターユニットの正面視での斜視図である。図５は、図１のヒューム捕集機の正面視での斜視図である。
【００１６】
図中、１は本考案のフィルターユニットであり、２はフィルターユニット１が装着されるヒューム捕集機である。フィルターユニット１は、集塵フィルター１１と、枠体１２と、フィルターカバー１３とから概略構成される。フィルターカバー１３は、正面壁と、この正面壁の周縁から立設された側壁を備え、背面側が開口した略箱形の第一のカバー部１４と第二のカバー部１５から成る。第一のカバー部１４は、集塵フィルター１１の表面を覆ってその内側に処理室１４ａを形成し、第二のカバー部１５は、第一のカバー部１４の正面壁に接合してその内側に通気室１５ａを形成している。枠体１２は正背面が開口し、平面視で矩形をなす側壁で構成され、フィルターユニット１がヒューム捕集機２に装着される際に、位置決め及び接続部材としての役割を果たすもので、集塵フィルター１１は枠体１２の内壁に当接するように嵌め込まれることで、ヒューム捕集機２内の所定の位置に固定配置される。背面側が開口した第一のカバー部１４は、その開口縁部で枠体１２と接続し、これにより、集塵フィルター１１と、枠体１２と、フィルターカバー１３とが一体化したカセット式のフィルターユニット１を形成している。
【００１７】
第一のカバー部１４の正面壁の中央部下方には、処理室１４aと通気室１５aとを連通する連通口１４ｂが設けられ、第二のカバー部１５の上方には、外部からヒューム含有空気を導入する吸気口１５ｂが設けられ、これにより、後述するヒューム捕集機２のブロアーの吸引作用により外部から吸い込まれたヒューム含有空気は、吸気口１５ｂ及び連通口１４ｂを通過して処理室１４aに導かれる。
【００１８】
処理室１４aの底部には、連通口１４ｂを塞ぐようにして所定量のプリコート剤１６が収容されているとともに、プリコート剤１６の上方には集塵フィルター１１が縦方向に配置されている。プリコート剤１６は連通口１４ｂを通過した吸引空気の上方への作用力を受けて舞い上げられて、集塵フィルター１１全面に付着して、約２分間で厚み１．５ｍｍ程度のコート層を形成するように構成されている。かかるコート層が形成されると、ヒュームが上記コート層に捕集されるので、集塵フィルター１１の目詰まりが防止でき、ヒューム捕集機２の通過前後における圧力損失の安定化を図ることができるとともに、これにより集塵フィルター１１のフィルター寿命を長期間維持することができる。最後に、集塵フィルター１１を通過した清浄空気は、後述するダクトを通り、排出ダクトから外部に排出される。ここで、本考案においてプリコート剤１６は、吸着性、脱臭性を備え、かつ粒径として、例えば、１〜５μｍのものであれば公知のものを用いることができる。また、集塵フィルター１１は、プリコート剤１６を捕らえ、付着させ所定の厚みのコート層を形成させる成型部材としての役割を有するものであれば、形状等は特に限定されない。
【００１９】
ヒューム捕集気２は、大きくは、捕集気本体２ａと集塵室２ｂとにより構成され、捕集気本体２ａは、箱型のハウジング２１によりその外観を形成し、集塵室２ｂは、捕集気本体２ａの正面側において、ハウジング２１と開閉自在に接続した扉部２２の内部に形成されている。扉部２２には、その中央付近に、外部からヒューム含有空気を取り込む吸込口２２ａが設けられている。ハウジング２１の内部には、外部から導入した吸引空気中に含まれるヒュームを捕集するための各種の機能部材が収納配置されている。捕集気本体２ａの内部には、集塵フィルター１１の背面と接するスペースに、集塵フィルター１１の背面に衝撃を与える衝撃部材２３が設けられ、その下流側には、ダクト２４を介してモータ２５ａによって回転するファン（図示せず）を備えた空気吸引装置２５（ブロアー）が配置され、濾過後の清浄空気を排出ダクト２６から外部に排出できるように構成されている。これにより、空気吸引装置２５の吸引力をダクト２４、処理室１４a及び連通口１４ｂを介して通気室１５a側に及ぼすことにより、ヒューム捕集機２の外部にあるヒューム含有空気を導入するように構成されている。
【００２０】
上記構成からなるフィルターユニット１を装着したヒューム捕集機２によれば、従来のプリコート機能を備えたヒューム捕集機に備わる、吸引空気中に含まれているヒュームをプリコート剤１６に吸着させて、集塵フィルター１１の目詰まりを予防するという効果を享受しつつ、集塵室２ｂ内にプリコート剤が飛散したりこぼれたりすることがないため、使用後のメンテナンスにかける手間とコストを大幅に減らすことができる。
【００２１】
また、本実施例では、集塵フィルター１１の背面に衝撃を与える衝撃部材２３を設けているので、運転終了後又は運転中に適宜の時間間隔で集塵フィルター１１に衝撃を与えることにより、集塵フィルター１１のヒューム吸着能及び圧力損失の安定性を運転初期の状態にして定期的に回復させることができるので、フィルター寿命を維持しつつ、より一層の長時間運転が可能になる。かかる衝撃部材としては、捕集気本体２ａ内部の集塵フィルター１１の背面と接するスペースに、ハウジング２１を貫通して回転軸を接続し、該回転軸の内端部に棒体を縦方向に接続するとともに、該棒体の基端部に直径数ｃｍの球体を取り付け、かつ、ハウジング２１の外部にある前記回転軸の外端部には上下に回転可能な取っ手（レバー）を接続してなる衝撃部材が好適である。かかる衝撃部材によれば、運転終了後又は運転中（すなわち、空気吸引装置２５の運転開始後）適宜の時間間隔で取っ手を同方向または異方向に回転させれば、上記回転軸の内端部を回転中心として上記球体が振り子のように動作して集塵フィルター１１の背面に衝撃を伝えるので、上述した作用を効果的に発揮することができる。
【００２２】
以上、本考案の詳細について説明したが、本考案のフィルターユニット１は、図に示した実施形態に限定されるものではなく、各種機能部材の大きさ、構造、位置等については、本考案の要旨を逸脱しない範囲内で適宜変更可能である。本実施形態では、連通口１４ｂ及び吸気口１５ｂは、それぞれ一つの矩形の孔を設けたのみの構成であるが、例えば、より小さめの矩形の孔を２段２列に配列した構成としてもよい。また、第一のカバー部１４の正面壁の底部には通気室１５ａから処理室１４ａへ吸引空気を通過させるための連通口１４ｂが形成されているが、連通口１４ｂの形成位置は上記正面壁の底部（すなわち、上記正面壁の一番下の部分）に限られず、処理室１４ａに配置されているプリコート剤１６を上方へ舞い上げることができる限り上下の位置関係は問わず、さらにプリコート剤１６が連通口１４ｂを直接塞ぐように配置させる必要もない。
【００２３】
また、本実施形態では、フィルターユニット１のヒューム捕集機２への装着は、扉部２２の開口部の内側に設けた嵌合部に、第一のカバー部１４の開口縁部を外側に折り曲げて形成した突起部を嵌め込む形式としたが、何らこれに限られるものではなく、別途ロック手段を設けて装着をより強固なものとしたり、上記突起部の嵌合部を扉部２２にではなく捕集機本体２ａ側に設けてもよい。
【図面の簡単な説明】
【００２４】
【図１】本考案に係るフィルターユニットを装着したヒューム捕集機の全体を示した内部構造の断面左側面図
【図２】図１のヒューム捕集機の全体を示した内部構造の断面平面図である。
【図３】図１のヒューム捕集機の全体を分解して示した内部構造の断面左側面図である。
【図４】本考案に係るフィルターユニットの正面視での斜視図である。
【図５】図１のヒューム捕集機の正面視での斜視図である。
【符号の説明】
【００２５】
１    フィルターユニット
２    ヒューム捕集機
２ａ  捕集機本体
２ｂ  集塵室
１１    集塵フィルター
１２    枠体
１３    フィルターカバー
１４    第一のカバー部
１４ａ  処理室
１４ｂ  連通口
１５    第二のカバー部
１５ａ  通気室
１５ｂ  吸気口
１６    プリコート剤
２１    ハウジング
２２    扉部
２２ａ  吸込口
【図１】
0003148027.tif 000003
【図２】
0003148027.tif 000004
【図３】
0003148027.tif 000005
【図４】
0003148027.tif 000006
【図５】
0003148027.tif 000007